(57)【要約】【課題】  階段の手すり子を精度良く、仕上がり外観に優れ、強度耐久性にも優れ、しかも、安価に取り付け施工ができる、手すり子取り付け構造を提供することを課題とする。【解決手段】  手すり子取り付けのための側面固定具、下部固定具は基部とその両端から略直角に折曲する取り付け片からなる略コの字型形状を有し、取り付け片及び基部には取り付け孔が設けられており、側面固定具は左右の取り付け片を前方へ突出させるようにして基部が踏板の段鼻木口の所定位置に取り付け固定され、下部固定具はその直下で一段下の踏板又は１階の床面の所定位置に下部固定具の基部を下にして取り付け片を上方へ突出させて取り付け固定され、手すり子本体の側面は側面固定具によって踏板の段鼻木口に取り付け固定され、手すり子本体の下部は下部固定具によって踏板又は１階の床面に取り付け固定され、手すり子本体の上部は手すりに固定されるようにした。【選択図】        図１
2006257664.tif 000002
【特許請求の範囲】
【請求項１】
階段の手すり子本体と側面固定具及び下部固定具と、手すり、踏板、桁とからなる階段の手すり子取り付け構造であって、前記側面固定具及び下部固定具は、基部と該基部の両端部から略直角に設けられている２枚の取り付け片からなる断面視略コの字型形状を有し、前記取り付け片及び基部には取り付け孔が設けられており、前記側面固定具は、左右の両取り付け片を前方へ突出させて、基部が前記踏板の段鼻木口の所定位置に取り付け固定され、前記下部固定具は、段鼻木口の前記所定位置の直下で、一段下の踏板又は床板の前記所定位置に見合う位置に前記下部固定具の基部を下にして左右の両取り付け片を上方へ突出させて、取り付け固定されており、手すり子本体は、その側面を前記側面固定具によって挟持され、踏板の段鼻木口に取り付け固定され、手すり子本体下部は、前記下部固定具が嵌入されることによって、踏板又は床板に取り付け固定され、手すり子本体の上端部は手すりに取り付けされていることを特徴とする階段の手すり子取り付け構造。
【請求項２】
手すり子本体を覆う筒状体からなる嵌着部材によって、手すり子本体の下部が嵌着されており、前記嵌着部材は手すり子本体の外周断面形状及び寸法より大き目の内周断面形状及び内周寸法を有していることを特徴とする請求項１に記載の手すり子取り付け構造。
【請求項３】
筒状体からなる前記嵌着部材の上端部において、該嵌着部材の筒状体の内周断面形状が手すり子本体の外周断面形状と略等しく、嵌着部材の筒状体の内周寸法が手すり子本体の断面における外周寸法と略等しく、筒状体からなる前記嵌着部材の下部において、該嵌着部材の筒状体の内周寸法が手すり子本体の断面における外周寸法よりも大きく、嵌着部材の下部において、嵌着部材の筒状体の内周面と、手すり子本体の外周面との間に間隙が設けられていることを特徴とする請求項１又は２に記載の手すり子取り付け構造。
【発明の詳細な説明】
【技術分野】
【０００１】
本発明は、階段の手すり子の取り付け構造に関する。
【背景技術】
【０００２】
従来、階段の手すり子を取り付けるには、手すり子の上端部はホゾを加工し、一方、手すりの裏面にホゾ穴を加工し前記ホゾをホゾ穴に差し込んで取り付けるホゾ組み構造か、又は、手すり子上端部にダボを加工し、手すりの裏面にダボ穴加工し、ダボをダボ穴に差し込んで取り付けるダボ組み構造が一般的であった。一方、手すり子下端部の場合も同様で、前記ホゾ組み構造又はダボ組み構造、又は、手すり子下端において、手すり子下端部と略等しい形状と寸法の穴を踏板に加工し、手すり子下端部を前記踏板の穴に差し込んで取り付けていた。これらの方法以外に、手すり裏面や踏板に穴加工等を施さず、ネジ等を用いて、手すり裏面や踏板に取り付け固定していた。
【０００３】
また、上記以外の方法としては、手すりの裏面に長手方向に沿って切欠段部を設け、該切欠段部に取り付け金具を用いるか又は用いないで、手すり子の上端部をネジ止め等で取り付け固定し、一方、手すり子の下端部は、踏板に設けた貫通孔に差し込み、踏板裏面から化粧キャップ等で覆っていた。（例えば非特許文献１参照）
【非特許文献１】建築資料研究社設計構造課編「絵で見る工匠事典・第８巻、実用木工事２」株式会社建築資料研究社、１９９１年９月１０日発行、第１７４〜１７５頁「階段」
【発明の開示】
【発明が解決しようとする課題】
【０００４】
しかしながら、上記の従来からある手すり子取り付け構造においては、手すり子下端部を取り付ける踏板の所定位置に、手すり子取り付けのための貫通又は貫通しない穴加工又はダボ穴加工等の木工事が必要であった。また、貫通又は貫通しない取り付け穴を加工し取り付けネジ等で固定した場合、取り付けネジのみでは取り付け強度が弱くなるばかりか、取り付けネジの頭が踏板上に露出するので、外観上大変見苦しいものとなっていた。さらに、手すり子上端部は手すりの裏面に取り付けされるため、手すりの裏面にも手すり子取り付けのための切欠段部又は穴加工が必ず必要であった。そのため、大変な施工手間と施工技術を必要としていた。
【０００５】
近年、住宅建築業界において、階段、とりわけ、手すり、手すり子を精度、仕上がり良く、取り付け施工のできる熟練工が少なくなってきており、しかも、施工の手間暇がかかり、施工性にとって大きな問題であった。半ば、素人でも精度、仕上がり良く施工でき、取り付け強度耐久性にも優れ、しかも、極めて簡単に階段の手すり子の取り付け施工ができる、手すり子取り付け構造の実現が望まれていた。
【０００６】
従来の手すり子取り付け構造は、手すり子上端部を手すりに、また、手すり子下端部を踏板に取り付けるだけであるので、手すり子の略中央部に大きな負荷や強い衝撃が加わると、よほどしっかりと取り付けされていないと、手すり子の取り付け固定箇所の上下方向のスパンが大きいので、大きな衝撃や負荷が加わると破損する恐れがあった。
【０００７】
本発明の目的は、階段の手すりに取り付ける手すり子を精度良く、仕上がり外観に優れ、強度耐久性にも優れ、しかも、極めて簡単に安価に取り付け施工ができる手すり子取り付け構造を提供することにある。
【課題を解決するための手段】
【０００８】
上記目的を達成するために、本発明の請求項１に記載の手すり子取り付け構造は、階段の手すり子本体と側面固定具及び下部固定具と、手すり、踏板、桁とからなる階段の手すり子取り付け構造であって、前記側面固定具及び下部固定具は、基部と該基部の両端部から略直角に設けられている２枚の取り付け片からなる断面視略コの字型形状を有し、前記取り付け片及び基部には取り付け孔が設けられており、前記側面固定具は、左右の両取り付け片を前方へ突出させて、基部が前記踏板の段鼻木口の所定位置に取り付け固定され、前記下部固定具は、段鼻木口の前記所定位置の直下で、一段下の踏板又は床板の前記所定位置に見合う位置に前記下部固定具の基部を下にして左右の両取り付け片を上方へ突出させて、取り付け固定されており、手すり子本体は、その側面を前記側面固定具によって挟持され、踏板の段鼻木口に取り付け固定され、手すり子本体下部は、前記下部固定具が嵌入されることによって、踏板又は床板に取り付け固定され、手すり子本体の上端部は手すりに取り付けされていることを特徴としている。
【０００９】
このような構成を有する本発明によれば、踏板に手すり子取り付けのための穴加工等を必要としないので、熟練工でなくても、精度、仕上がり良く、しかも、極めて簡単に、安価に取り付け施工ができる。また、手すり子本体を踏板上面と一段上の踏板の段鼻木口及び手すりの３カ所で取り付け施工するので、手すり子取り付け固定箇所の上下方向のスパンが短くて済み、手すり子に比較的大きな負荷や衝撃が加わっても破損の恐れが少なく、強度耐久性に優れたものとなる。
【００１０】
本発明の請求項２に記載の発明は、請求項１に記載の手すり子取り付け構造において、手すり子本体を覆う筒状体からなる嵌着部材によって、手すり子本体の下部が嵌着されており、前記嵌着部材は手すり子本体の外周断面形状及び寸法より大き目の内周断面形状及び内周寸法を有していることを特徴としている。
【００１１】
このような構成を有する本発明によれば、手すり子下部の取り付けネジ等の頭が露出したり、また、手すり子下部と踏板表面との間に隙間が生じても、前記嵌着部材で隠蔽できるので、外観上大変見苦しくなることを有効に防止でき、仕上がり外観的にも優れたものとなる。
【００１２】
本発明の請求項３に記載の発明は、請求項１又は２に記載の手すり子取り付け構造において、筒状体からなる前記嵌着部材の上端部において、該嵌着部材の筒状体の内周断面形状が手すり子本体の外周断面形状と略等しく、嵌着部材の筒状体の内周寸法が手すり子本体の断面における外周寸法と略等しく、筒状体からなる前記嵌着部材の下部において、該嵌着部材の筒状体の内周寸法が手すり子本体の断面における外周寸法よりも大きく、嵌着部材の下部において、嵌着部材の筒状体の内周面と、手すり子本体の外周面との間に間隙が設けられていることを特徴としている。
【００１３】
このような構成を有する本発明によれば、前記嵌着部材を手すり子本体の下部に被せた際に、手すり子本体と前記嵌着部材の上端部に隙間等が発生しないので、仕上がり外観的にいっそう優れたものとなる。
【００１４】
さらに、嵌着部材の筒状体からなる前記嵌着部材の下部において、該嵌着部材の筒状体の内周寸法が手すり子本体の断面における外周寸法よりも大きく、嵌着部材の下部において、嵌着部材の筒状体の内周面と、手すり子本体の外周面との間に間隙が設けられているので、手すり子本体下端部において、取り付けネジの頭等の隠蔽効果のみならず、施工技術の低さが原因で、ネジの突出部が生じても、前記間隙に収容されることで、手すり子下端部における仕上がり外観がよりいっそう向上する。
【発明の効果】
【００１５】
請求項１に記載の発明によれば、手すり子本体、側面固定具、下部固定具、手すり、踏板、桁とから構成され、側面固定具及び下部固定具は、取り付け孔を有する基部と該基部の両端部から略直角に設けられ、取り付け孔を有する取り付け片からなり、断面視略コの字型形状を有し、前記踏板の段鼻木口に側面固定具が基部を背にし、左右の両取り付け片を前方へ突出させて取り付け固定され、その直下で、一段下の踏板又は床板の所定位置に見合う位置に、下部固定具が基部を下にし、左右の両取り付け片を上方へ突出させて、取り付け固定されており、手すり子本体の側面は、前記側面固定具によって挟持され、踏板の段鼻木口に取り付け固定され、手すり子本体の下部は、手すり子本体下部に、前記下部固定具が嵌入されることによって、踏板又は床板に取り付け固定され、手すり子本体の上端部は手すりに取り付けされている構成を有するので、踏板に手すり子取り付けのための穴加工等を必要とせず、熟練工でなくても、精度、仕上がり良く、しかも、極めて簡単に安価に取り付け施工ができる。また、手すり子本体を踏板上面と一段上の踏板の段鼻木口及び手すりの３カ所で取り付け施工するので、手すり子に比較的大きな負荷や衝撃が加わっても破損の恐れが少なく、強度耐久性に優れたものとなる。
【００１６】
請求項２に記載の発明によれば、手すり子本体を覆う筒状体からなる嵌着部材によって、手すり子本体の下部が嵌着されており、嵌着部材が手すり子本体の外周断面形状及び寸法より大き目の内周断面形状及び内周寸法を有しているので、手すり子下部の取り付けネジの頭が外観上露出せず、また、手すり子下部と踏板表面との間に隙間が生じても、前記嵌着部材で隠蔽できるので、外観上大変見苦しくなることを有効に防止でき、仕上がり外観的にも優れたものとなる。
【００１７】
請求項３に記載の発明によれば、筒状体からなる嵌着部材の上端部において、嵌着部材の筒状体の内周断面形状が手すり子本体の外周断面形状と略等しく、嵌着部材の筒状体の内周寸法が手すり子本体の断面の外周寸法と略等しいので、嵌着部材を手すり子本体の下部に被せた際に、手すり子本体と嵌着部材の上端部に隙間が発生しないので、仕上がり外観的にいっそう優れたものとなる。
【００１８】
さらに、筒状体からなる嵌着部材の下部において、嵌着部材の筒状体の内周寸法が手すり子本体の断面における外周寸法よりも大きく、嵌着部材の下部において、嵌着部材の筒状体の内周面と、手すり子本体の外周面との間に間隙が設けられているので、手すり子本体下端部において、嵌着部材の筒状体の内周面と、手すり子本体の外周面との間の間隙に、ネジ頭や施工技術の低さから生じるネジの突出部等が収容され、手すり子下部における仕上がり外観がよりいっそう向上する。
【発明を実施するための最良の形態】
【００１９】
以下、本発明の実施の形態の一例を説明する。図１は本発明の手すり子取り付け構造の実施形態の一例を示す斜視図、図２は本発明の側面固定具の一実施形態を示す斜視図、図３は本発明の下部固定具の一実施形態を示す斜視図、図４は本発明の嵌着部材の第一実施形態を示す斜視図、図５は本発明の嵌着部材の第二実施形態を示す。（イ）は上面図、（ロ）はそのＡ−Ａ線断面図、（ハ）はそのＢ−Ｂ線断面図、（ニ）は底面図である。また、（ホ）は手すり子本体に嵌着部材を装着した状態を示す横断面図である。図６は本発明の手すり子の取り付け状態を示す説明図である。
【００２０】
図１に階段における手すり子取り付け構造１を示す。階段の桁７を住宅等建築物の２階の梁（図示せず）や１階床下の大引（図示せず）に取り付け固定し、該桁７に踏板６が取り付けられ、階段が構成されている。さらに、前記階段に手すり５と手すり子本体２が取り付けられている。本発明の手すり子取り付け構造１は、前記手すり子本体２と側面固定具３と下部固定具４と前記踏板６、桁７及び手すり５とで構成されている。さらに手すり子本体２の下部は嵌着部材８によって覆われている。
【００２１】
図２に本発明の側面固定具３が示されている。側面固定具３は基部３ａと該基部３ａの両端部から略直角に設けられている２枚の取り付け片３ｂから構成されている。本発明の側面固定具３は水平方向の断面で見て略コの字型形状を有している。また、前記基部３ａ及び取り付け片３ｂの所定位置には取り付け孔Ｈが設けられている。該取り付け孔Ｈの位置、大きさ、個数は手すり子本体２の取り付け後の手すり子本体２及び手すり５の強度を考慮して適宜決定する。
【００２２】
本発明の側面固定具３の寸法は、前記基部３ａが踏板６の段鼻木口Ｄに取り付けられることを考慮すると、基部３ａの高さ寸法は、踏板６の厚み寸法以下であることが望ましい。そうでないと踏板６から基部３ａがはみ出てしまうことになる。階段の踏み板６の厚み寸法を考えると、基部３ａの高さ寸法はおよそ３０ｍｍ〜６０ｍｍ程度が適当である。前記基部３ａの幅方向の寸法は、手すり子本体２の幅方向の寸法（階段を正面から見て左右方向の寸法）に見合う寸法とされている。すなわち、前記側面固定具３の基部３ａの両端部から略直角に設けられている２枚の取り付け片３ｂによって、手すり子本体２を挟持することが可能となるような寸法に設定されている。
【００２３】
また、前記取り付け片３ｂの基部３ａからの突出寸法は、手すり子本体２の厚み寸法（階段を正面から見て奥行き方向の寸法）以下であることが望ましい。そうでないと手すり子本体２から取り付け片３ｂがはみ出てしまうことになる。手すり子本体２の幅寸法を考えると、基部３ａの幅方向の内法寸法はおよそ３０ｍｍ〜６０ｍｍ程度が適当である。また、手すり子本体２の厚み寸法を考えると、取り付け片３ｂの突出する方向の内法寸法は、およそ１５ｍｍ〜４０ｍｍ程度が適当である。
【００２４】
また、手すり子本体２は、本例では断面形状で長方形を有し、中が中空の筒状体となっている。しかし、断面形状長方形に限定されるものではない。長方形以外に正方形、円形、楕円形、半円形、半楕円形、台形等、さまざまな形状のものが適用できる。また、内部が中空で筒状体としたので、全体の重量が軽量化され、手すり子取り付け作業性にとって好適である。しかし、内部密実構造のものであってもよいものとする。この場合、下部固定具４を嵌入する際に支障のないように、手すり子本体２の下部の所定箇所においては、中が中空の筒状体であることが必要である。
【００２５】
また、手すり子本体２の幅寸法はおよそ３０ｍｍ〜６０ｍｍ程度、厚み寸法はおよそ１５ｍｍ〜４０ｍｍ程度、長さ寸法はおよそ６００ｍｍ〜１２００ｍｍ程度が適当である。しかし、これらの寸法に限定されるものではない。
【００２６】
側面固定具３の左右の両取り付け片３ｂの形状は、図２に一例として略半円形形状を示す。また、側面固定具３の形状は一例として、水平断面形状で略コの字型形状を示し、斜視図で示すと図２のような形状である。しかし、これに限定するものではない。前記した手すり子本体２の断面形状に見合った形状とすることができる。手すり子本体２の取り付け作業性、仕上がり時の外観意匠性等を考慮して決定する。
【００２７】
但し、前記側面固定具３の取り付け片３ｂの突出部分の先端の角部分は角ばっているよりも滑らかな曲線形状であった方が、階段を人が昇降する際、衣服や足を引っかける危険がないので、安全性にとって好適である。
【００２８】
側面固定具３の基部３ａに設けられている取り付け孔Ｈは、基部３ａを踏板６の段鼻木口Ｄに取り付けネジＮで取り付けた際、取り付けネジＮの頭が基部３ａから突出すると手すり子本体２の取り付けに支障となるので、取り付けネジＮは、皿頭の取り付けネジＮを使用し、取り付け孔Ｈは、皿加工が施してあることが望ましい。取り付けネジＮの頭と基部３ａの表面が略面一となるので、手すり子本体２の取り付け精度や仕上がり向上にとって好適である。また、側面固定具３の取り付け片３ｂに設けられている取り付け孔Ｈにも同様のことが言える。すなわち、手すり子本体２と側面固定具３との取り付けは、階段を正面から見て、側面固定具３の左右の両側から、前記取り付け片３ｂを介して取り付けネジＮで取り付けるので、取り付け片３ｂの外側面から見て皿加工が施してあることが望ましい。また、取り付けネジＮとしては同様に皿頭の取り付けネジＮを使用することが望ましい。
【００２９】
図３において、本発明の下部固定具４の一例を示す。下部固定具４は、基部４ａと該基部４ａの両端部から略直角に設けられている２枚の取り付け片４ｂから構成されている。本発明の下部固定具４は垂直方向の断面で見て略コの字型形状を有している。また、前記基部４ａ及び取り付け片４ｂには取り付け孔Ｈが設けられている。該取り付け孔Ｈの位置、大きさ、個数は手すり子取り付け後の手すり子本体２及び手すり本体５の強度を考慮して適宜決定する。
【００３０】
本発明の下部固定具４の寸法は、下部固定具４が前記取り付け片４ｂを上方へ突出させて、基部４ａを、前記側面固定具３を取り付けた踏板６より、一段下の踏板６の表面又は１階の床面（図示せず）の所定位置に取り付けられ、本例で示す、前記筒状体の手すり子本体２の下端部が差し込まれて取り付けられる。このことを考慮すると、取り付け片４ｂを含めた底面の外形寸法、及び形状が前記手すり子本体２の筒状体構造の内周寸法、形状よりも小さく、それに見合った寸法、形状であることが望ましい。具体的には、幅方向（階段を正面から見て左右方向）の寸法でおよそ３０ｍｍ〜６０ｍｍ、奥行き方向の寸法（階段を正面から見て奥行き方向）の寸法でおよそ１５ｍｍ〜４０ｍｍ程度、取り付け片４ｂの突出寸法でおよそ２０ｍｍ〜３０ｍｍ程度が適当である。これらの寸法は一応の標準的な寸法であり、これらの寸法に限定されるものではない。
【００３１】
手すり子本体２が、その下端部において、下部固定具４をその内部にすっぽりと収納する構成となっている。この場合、手すり子本体２の下部において、手すり子本体２の厚み方向（階段を正面から見て奥行き方向）の側面で、下部固定具４の取り付け片４ｂに設けられている取り付け孔Ｈの位置に見合う位置に、取り付け孔Ｈが設けられていることが必要である。この時、下部固定具４の取り付け位置精度に上下方向の多少の誤差が生じても支障のないように、前記手すり子本体２の下部の取り付け孔Ｈ又は前記下部固定具４の取り付け片４ｂにある取り付け孔Ｈは、上下方向に細長い長円形を有する長穴とすると施工性にとって、よりいっそう好適である。下部固定具４の取り付け片４ｂにある取り付け孔Ｈの方を上下に細長い長円形とし、手すり子本体２の下部の取り付け孔Ｈの方は通常の円形とした方が外から見た時の意匠性に優れたものとなる。
【００３２】
また、本発明の下部固定具４は、本例では、図３に示すように長方形の基部４ａを有しその両端部に略直角に設けられた取り付け片４ｂが形成されている。しかし、基部４ａの形状で、長方形は一例であって、正方形、又はその他の形状であってもよいものとする。取り付け孔Ｈの個数、位置は手すり子本体２と手すり本体５の強度を考慮して適宜決定される。この下部固定具４は手すり子本体２が筒状体の場合は、その内部にすっぽりと納まるので、角ばった形状でもよいものとする。しかし本例に示す角ばった形状でなく、曲面を有する形状（図示せず）であってもよいものとする。また、基部４ａに使用する取り付けネジＮは内部に隠蔽されるので皿頭である必要はなく、基部４ａに設ける取り付け孔Ｈの皿加工も特に必要性がない。一方、取り付け片４ｂに使用する取り付けネジＮは、そのままでは外部へ露出するので、皿頭である方が望ましい。また、取り付け片４ｂに設ける取り付け孔Ｈは皿加工してあることが望ましい。
【００３３】
また、手すり子本体２が本例で示す筒状体構造でなく、内部密実構造である場合は、前記したように、手すり子本体２の下部において、下部固定具４が嵌入される箇所のみ中が中空の筒状体とする必要がある。すなわち、手すり子本体２が本例で示す筒状体構造でなく、内部密実構造である場合でも、前記下部固定具４が嵌入される箇所（手すり子本体２の下端から約５０ｍｍ〜１００ｍｍ程度）のみ筒状体で内部中空構造としておくとよい。
【００３４】
また、別の例として、前記下部固定具４の取り付け片４ｂは、手すり子本体２の下部において、手すり子本体２の外側面を挟持するように構成してもよい。この場合は、手すり子本体２の下部で、取り付け片４ｂの取り付け孔Ｈの位置に見合う位置に、手すり子本体２の側面に、取り付け用下穴（図示せず）を設けておくことが施工性にとって望ましい。前記下穴（図示せず）は取り付け孔Ｈより直径が小さなものでよい。取り付けネジＮは先端にねじ切りタップ機能を有する、いわゆる、タッピングネジの使用が望ましい。タッピングネジでねじ込んで取り付ける。このようにすると、施工時の手すり子本体２と下部固定具４との位置ズレが多少でも吸収できる。
【００３５】
また、本例に示すように、手すり子本体２が筒状体構造である場合においても、前記取り付けネジＮは先端にねじ切りタップ機能を有する、いわゆる、タッピングネジを用いると施工性にとって好適である。前記側面固定具３に手すり子本体２を取り付ける際、側面固定具３の取り付け片３ａには取り付け孔Ｈを予め所定位置に設けておくが、手すり子本体２には取り付け孔Ｈは予め設けなくてもよい。むしろ、設けない方がよい。手すり子本体２を側面固定具３に取り付ける際、階段の桁７、踏板６等の取り付け精度が必ずしも誤差ゼロとは言えない。誤差が発生すると、側面固定具３の取り付け片３ｂの取り付け孔Ｈと手すり子本体２の取り付け孔Ｈとが位置が一致せず、従って取り付け不能になる恐れがある。そこで、若干取り付け精度に誤差が生じても、手すり子本体側に取り付け孔Ｈを予め設けないで、取り付けネジＮとしてタッピングネジを使用することによって、前記取り付け孔Ｈの位置ズレによる施工性不良が有効に防止できる。この方法の他に側面固定具３の取り付け片３ｂにある取り付け孔Ｈに見合う手すり子本体２の側面位置に上下方向に細長い長円形の取り付け孔（図示せず）を設けておいてもよい。施工時に上下方向の位置ずれが生じ易いが、このように長円形にしておくと位置ズレが吸収できる。
【００３６】
前記手すり子本体２、側面固定具３、下部固定具４の材質は、アルミ、ステンレス、鉄焼き付け塗装仕上げ、亜鉛メッキ鋼板等の金属製の他、硬質塩ビ樹脂、オレフィン樹脂、ＡＢＳ樹脂、硬質ウレタン樹脂等の合成樹脂成型体等が好適なものとして例示できる。また、桁７、踏板６、手すり本体５等は、集成材、ＬＶＬ、合板、木材無垢等の木質材料の他、上記金属製、合成樹脂成型体等を好適なものとして例示できる。
【００３７】
図４において、本発明の嵌着部材８の第一実施形態を示す。嵌着部材８は筒状体から構成されており、手すり子本体２の下部を覆うことによって下部の取り付けネジＮ等を隠蔽する機能を有している。手すり子本体２の下部が嵌着部材８に嵌挿される仕組みとなっている。嵌着部材８の水平方向の断面における内周の断面形状及び内周寸法が、手すり子本体２の水平方向の断面における外周の断面形状及び外周寸法よりも大き目に構成されている。
【００３８】
手すり子本体２を覆う筒状体からなる嵌着部材８によって、手すり子本体２の下部が嵌着されている。嵌着部材８は手すり子本体２の外周断面形状及び外周寸法より大き目の内周断面形状及び内周寸法を有している。このような構成を有しているので、手すり子本体２の下部の取り付けネジＮのネジ頭が手すり子本体２の下部側面に外観上露出せず、仕上がり外観的にも優れたものとなる。しかも、嵌着部材８の下端部は、踏板６に接するので、手すり子本体２の取り付け精度が不良で、踏板６の表面と手すり子本体２の下端との間に隙間が発生しても、前記隙間が隠蔽され、従って、仕上がり外観的にいっそう優れたものとなる。
【００３９】
また、筒状体からなる前記嵌着部材８の上端部において、該嵌着部材８の筒状体の内周断面形状が手すり子本体２の外周断面形状と略等しく、嵌着部材８の筒状体の内周寸法が手すり子本体２の断面における外周寸法と略等しく、筒状体からなる前記嵌着部材８の下部において、嵌着部材８の筒状体の内周寸法が手すり子本体２の断面における外周寸法よりも大きく、嵌着部材８の下部において、嵌着部材８の筒状体の内周面と、手すり子本体２の外周面との間に間隙Ｓが設けられている。このような構成を有するので、嵌着部材８を手すり子本体２の下部に被せた際に、手すり子本体２と嵌着部材８の上端部に隙間等が発生せず、従って、仕上がり外観的にいっそう優れたものとなる。さらに、筒状体からなる嵌着部材８の下部において、嵌着部材８の筒状体の内周寸法が手すり子本体２の断面における外周寸法よりも大きく、嵌着部材８の下部において、嵌着部材８の筒状体の内周面と、手すり子本体２の外周面との間に間隙Ｓが設けられているので、手すり子本体２の下端部において、取り付けネジＮの頭等が露出したり、また、突出したりしても、嵌着部材８を被せることで、前記間隙Ｓに取り付けネジＮの頭や突出部等が収納されるので、手すり子本体２の下端部における仕上がり外観がよりいっそう向上する。
【００４０】
本発明の嵌着部材８は一例として図４に示す形状を例示できるが、これ以外の形状のものであってもよいものとする。本例では、嵌着部材８は四角錐台形状の外観を呈する嵌着部材上部８ａと該嵌着部材上部８ａの下部に連設する四角柱形状を呈する嵌着部材下部８ｂとで構成されている。前記嵌着部材上部８ａ及び嵌着部材下部８ｂのいずれも内部が中空構造であり、いわゆる筒状体で構成されている。嵌着部材上部８ａの最上端部である、嵌着部材上端部８ｃは、筒状体の内周が手すり子本体２の外周と略同形同大であり、手すり子本体２の下部が嵌着部材８内に嵌挿された際、手すり子本体２の外周と嵌着部材上端部８ｃの内周との間に隙間がほとんど発生しない構成とされている。さらに嵌着部材下部８ｂは上記したように、手すり子本体２の外周と嵌着部材下部８ｂの内周との間に前記間隙Ｓが確保されているので、取り付けネジＮのネジ頭やネジの突出部が前記間隙Ｓ内に収納されて外部からは見えることがなく、外観意匠的にも優れたものとなる。
【００４１】
上記の構成によって、本発明の手すり子取り付け構造１においては、仕上がり外観に優れたものとなる。これらの効果を有するものであれば、嵌着部材８の形状大きさ等は本例に示す実施形態以外のものであってもよいものとする。本発明の嵌着部材８の材質は塩ビ樹脂、オレフィン樹脂、ウレタン樹脂、アクリル樹脂等の成型体を好適なものとして例示できる。また、これ以外に、アルミ、ステンレス、鉄焼き付け塗装仕上げ、亜鉛メッキ鋼板等の金属製のものでもよい。
【００４２】
本発明の嵌着部材８の寸法は、本例に示す形状の場合、嵌着部材上端部８ｃの内周寸法は、幅方向（階段を正面から見て左右方向）の寸法で、およそ３０ｍｍ〜６０ｍｍ程度、厚み方向（階段を正面から見て奥行き方向）の寸法で、およそ１５ｍｍ〜４０ｍｍ程度である。また、嵌着部材下部８ｂの内周寸法は、幅方向の寸法で、およそ３５ｍｍ〜７０ｍｍ程度、厚み方向の寸法で、およそ２０ｍｍ〜５０ｍｍ程度が適当である。さらに、前記間隙Ｓの寸法はおよそ５ｍｍ〜１０ｍｍ程度が好適である。しかし、上記材質、形状、寸法に限定されるものではない。
【００４３】
図５において、本発明の嵌着部材８の第二実施形態を示す。本発明の筒状体からなる嵌着部材８は、嵌着部材下部８ｂの内周面で、手すり子本体２の幅方向（階段を正面から見て左右方向）と接する方の内周面と該内周面に対向する内周面の所定位置に突起Ｐが形成されている。さらに、本発明の手すり子本体２の外周面下部において、幅方向（階段を正面から見て左右方向）の二面で、前記突起Ｐに見合う箇所に、凹部Ｕが設けられている。前記突起Ｐと凹部Ｕとが相互に嵌合し合う構成とされている。前記突起Ｐの形状は、一例として図５の（ハ）に示すように断面形状で略半円形である。その寸法は、一例として突起の高さで約３ｍｍ、突起の厚みで約１ｍｍ、側面から見た断面形状で、直径約６ｍｍの円弧形状を有している。これは、あくまでも一例であり、この形状、寸法に限定されるものではない。楕円弧等であってもよいものとする。
【００４４】
一方、手すり子本体２の幅方向（階段を正面から見て左右方向）の外周面下部において、その所定箇所、すなわち、前記突起Ｐと見合う位置に凹部Ｕが設けられている。前記凹部Ｕの形状は一例として手すり子本体２を正面から見て（階段を正面から見て）直径約６ｍｍの略円形を有する貫通孔である。しかし、この形状と寸法に限定されるものではない。円形の他、楕円形、矩形等であってもよいものとする。
【００４５】
図５の（イ）は嵌着部材８を上から見たところで、（ロ）はそのＡ−Ａ線断面図、（ハ）はそのＢ−Ｂ線断面図である。また、（ニ）は底面図で、（ホ）は手すり子本体２に嵌着部材８を装着した状態の横断面図であり、嵌着部材８に形成されている突起Ｐが、手すり子本体２に設けられた凹部Ｕに嵌合している状態を示している。
【００４６】
このように、前記突起Ｐと凹部Ｕとが相互に嵌合する構成とされていると、嵌着部材８を手すり子本体２の下部に装着し被せる際、突起Ｐと凹部Ｕがしっかりと嵌合し、嵌着部材８が手すり子本体２にしっかりと固定できる。
【００４７】
また、図５の（ニ）からわかるように、本発明の嵌着部材８には、手すり子本体２を筒状体からなる嵌着部材８の内部において、位置決めが確実に行えるように、嵌着部材８の内周面で手すり子本体２の厚み方向（階段を正面から見て奥行き方向）と接する側面にリブＲが形成されている。本例では、リブＲが左右に２条づつ計４条形成されている。手すり子本体２を嵌着部材８内に嵌挿した時、手すり子本体２の幅方向（階段を正面から見て左右方向）の外周面に設けられた凹部Ｕと、嵌着部材８の下部８ｂの幅方向（階段を正面から見て左右方向）の内周面に設けられた突起Ｐとが嵌合する。さらに、手すり子本体２の厚み方向（階段を正面から見て奥行き方向）の外周面は、前記リブＲによって左右両方向から支持されている。このようにして、本発明の手すり子本体２は嵌着部材８の内部でしっかりと安定して且つ所定位置に位置決めされて固定されている。この時、前記リブＲによって、嵌着部材８の厚み方向（階段を正面から見て奥行き方向）の内周面と手すり子本体２の厚み方向（階段を正面から見て奥行き方向）の内周面との間に取り付けネジＮの頭を収納可能とする間隙Ｓが設けられている。このリブＲは本例に示すように厚み方向だけでなく、幅方向のみであってもよいし、また、厚み方向と幅方向の両方であってもよいものとする。従って、前記間隙Ｓも同様である。
【００４８】
嵌着部材８を除去する際は、手で嵌着部材８を持って上方へ引き抜くだけで、極めて簡単に取り外し可能である。このように、嵌着部材８を極めて簡単に脱着するための、突起Ｐと凹部Ｕの形状、寸法は、本例に示す形状、寸法を好適なものの一例として例示できる。また、本発明の手すり子本体２の嵌着部材８の内部での安定した固定は一例として前記リブＲを用いた構造が好適なものとして例示できる。
【００４９】
また、本発明の嵌着部材８の上部において、嵌挿孔Ｋの端部に、面取り部Ｍが形成されており、また、嵌着部材の下部８ｂにおいて、嵌挿孔Ｋの下部で前記リブＲの下端部に面取り部Ｍが形成されている。前記面取り部Ｍの形状、寸法は一例として１ｍｍのＣ面が好適なものとして例示できる。しかし、この形状、寸法に限定されるものではない。このように、嵌着部材８の嵌挿孔Ｋの上下端部に面取り部Ｍが形成されていると、手すり子本体２を嵌着部材８の嵌挿孔Ｋの上下いずれの方から嵌挿しても、面取り部Ｍが形成されているので、極めてスム−ズに嵌挿できる。
【００５０】
図６において、本発明の手すり子取り付け構造１における手すり子本体２の取り付け状態を示す。ここで、取り付け施工の手順を以下に述べる。
１．住宅の階段設置場所に、階段の桁７、踏板６を取り付け施工する。
２．手すり本体５及び手すり子本体２を取り付ける予定位置を正確に墨出しし、決定する。
３．各踏板６の段鼻木口Ｄの所定位置に側面固定具３を基部３ａを背にし、左右の両取り付け片３ｂを手前へ突出させるようにして基部３ａに予め設けられている取り付け孔Ｈを利用して、取り付けネジＮ（タッピングネジを使用）でしっかりと取り付け固定する。
４．側面固定具３を取り付けた各踏板６の一段下の踏板６の表面で、前記側面固定具３の直下の所定の位置に、下部固定具４を取り付ける。この時、下部固定具４の基部４ａを下にして左右の両取り付け片４ｂが上方へ突出するようにして基部４ａに予め設けられている取り付け孔Ｈを利用して、取り付けネジＮ（タッピングネジを使用）を用いてしっかりと取り付け固定する。
５．最上段の上がり框（図示せず）の段鼻木口の所定位置にも同様にして側面固定具３を取り付ける。
６．１階の床面（図示せず）の所定位置にも同様にして下部固定具４を取り付ける。
７．手すり子本体２を取り付ける前に、予め筒状体の嵌着部材８の内部に手すり子本体２を嵌挿しておく。
８．側面固定具３を取り付けた踏板６と、下部固定具４を取り付けた踏板６との間に位置する手すり子本体２の位置に、嵌着部材８を仮止めしておく。粘着テ−プ等を利用するとよい。この状態で、手すり子本体２を側面固定具３の左右２枚の取り付け片３ｂの間に挟持させる。階段の正面から見て手前から奥方向へ嵌め込み、そのまま、手すり子本体２を下方へ移動させる。
９．また、別方法として、手すり子本体２を上方から側面固定具３に嵌挿させ、下部固定具４に到達する前に嵌着部材８を被せ、手すり子本体２をさらに下方へ移動させる方法でもよい。
１０．一段下の踏板６の表面に取り付けた下部固定具４を手すり子本体２の筒状体の内部に、すっぽりと嵌挿させ、手すり子本体２の下端部を踏板６の表面に当接させる。
１１．この状態で、側面固定具３の左右２枚の取り付け片３ｂに設けられた取り付け孔Ｈを利用して取り付けネジＮ（タッピングネジを使用）で、手すり子本体２の左右両側面からしっかりと固定する。
１２．手すり子本体２の側面下部に設けられている取り付け孔Ｈと下部固定具４の左右２枚の取り付け片４ｂに設けられている取り付け孔Ｈを利用して、手すり子本体２の下部と下部固定具４を取り付けネジＮ（タッピングネジを使用）でしっかりと取り付け固定する。
１３．階段を昇りきった箇所に取り付けた上段框（図示せず）及び１階床面（図示せず）にも同様にして、手すり子本体２を取り付ける。
１４．嵌着部材８を手で下方へ移動させ、嵌着部材８の下端部を踏板６の表面と当接させ、取り付けネジＮのネジ頭等を隠蔽する。
１５．全ての手すり子本体２が取り付け完了後、全体の取り付け誤差等が支障のない程度であることを確認する。その後、手すり本体５を取り付ける。手すり本体５の取り付け方法は従前の方法でよい。
以上で、本発明の手すり子取り付け構造１の施工が完了する。
【００５１】
また、本発明の手すり子取り付け構造１において、最下段の踏板に取り付けられる手すり子本体２としては、図示しないが、その他の手すり子本体２よりも、形状、寸法がやや大きい手すり子を親柱として使用してもよいものとする。取り付け方法等は、その他手すり子本体２と同様でよいものとする。側面固定具３、下部固定具４、嵌着部材８等は、前記親柱（図示せず）に見合った形状、寸法のものを別途用意すればよい。
【００５２】
また、本発明の手すり子取り付け構造１は、前記図１に示すように、階段の踏み板６の一段当たりの、手すり子本体２の取り付け個数は１本でもよいし、また、２本又はそれ以上であってもよいものとする。例えば、２本取り付けの場合は、１本目は図１に示すように踏板６の段鼻木口Ｄに取り付け、２本目は、図示しないが、一段下の踏板６の段鼻木口Ｄに取り付ける手すり子本体２との、略中間の位置に、それぞれ略等間隔になるようにして取り付けるとよい。この中間位置の手すり子本体２は図示しないが、踏板６の上面と手すり本体５の裏面に取り付ける。踏板６の上面への取り付け方法と、手すり本体５の裏面への取り付け方法は、１本目の手すり子本体２と同様である。
【図面の簡単な説明】
【００５３】
【図１】本発明の手すり子取り付け構造の実施形態の一例を示す斜視図。
【図２】本発明の側面固定具の一実施形態を示す斜視図。
【図３】本発明の下部固定具の一実施形態を示す斜視図。
【図４】本発明の嵌着部材の第一実施形態を示す斜視図。
【図５】本発明の嵌着部材の第二実施形態を示す。（イ）は上面図、（ロ）は、そのＡ−Ａ線断面図、（ハ）は、そのＢ−Ｂ線断面図、（ニ）は底面図、（ホ）は、手すり子本体に嵌着部材を装着した状態を示す横断面図。
【図６】本発明の手すり子の取り付け状態を示す説明図。
【符号の説明】
【００５４】
１      手すり子取り付け構造
２      手すり子本体
３      側面固定具
３ａ    基部
３ｂ    取り付け片
Ｈ      取り付け孔
Ｎ      取り付けネジ
４      下部固定具
４ａ    基部
４ｂ    取り付け片
５      手すり本体
６      踏板
Ｄ      段鼻木口
７      桁
８      嵌着部材
８ａ    嵌着部材上部
８ｂ    嵌着部材下部
８ｃ    嵌着部材上端部
Ｓ      間隙
Ｐ      突起
Ｕ      凹部
Ｒ      リブ
Ｋ      嵌挿孔
Ｍ      面取り部
【図１】
2006257664.tif 000003
【図２】
2006257664.tif 000004
【図３】
2006257664.tif 000005
【図４】
2006257664.tif 000006
【図５】
2006257664.tif 000007
【図６】
2006257664.tif 000008